【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
少なくとも１つイミド基を有するポリマー鎖を含むポリマーであって、各イミド基が芳香族環に化学的に結合され、
該ポリマーが式（１）：
【化２２】
2016538375.tif 000001
（式中、各可変項は、独立して、以下の通りである：
Ｒ１は、置換基への結合に利用可能なＱ環上の任意の位置にある置換基であり、Ｒ１は、独立して、−Ｈ、または電子吸引基、または電子供与基の１つまたはそれより多くのものによって表され；
Ｑは、４ｎ＋２のπ電子を含有する縮合または非縮合芳香族環であり、ここで、ｎ＝１またはそれより大きく、Ｑは、５または６員イミド環を形成するように該イミド基に結合され；
ｂは、１または２であり、ｂが２である場合、該イミド基は、２つの化学結合によってＰｏｌに結合されている側鎖であり；
ｄは、１、２または３であり；これは、１〜３個のイミド基がＲ２の異なる炭素原子でＲ２に結合されている可能性があることを意味し；
Ｒ２は、Ｃ１〜Ｃ２０ヒドロカルビレン基、またはＣ１〜Ｃ２０ヒドロカルボニレン基（Ｒ２が２個より多くの炭素原子を含有する場合、該ヒドロカルビレン基または該ヒドロカルボニレン基は、直鎖状であるか、または分枝している）、またはそれらの混合物であり；Ｒ２は、酸素および／または窒素原子を含み、この場合、Ｒ２の酸素または窒素１個ごとに少なくとも２個の炭素原子があり、これらは、Ｒ２にエーテル型結合、エステル型結合およびアミド型結合を含み；
Ｗ’は、窒素原子、酸素原子または直接結合であり；ｂが２である場合には、該Ｗ’の一方は、該イソシアネートと反応される第二級アミンから誘導され、および該イミドと他方のＷ’基の間のＲ２結合基内にあり、ｂが２である場合、各Ｗ’基は、同じであるか、または、異なり；
Ｐｏｌは、少なくとも２つのウレタンおよび／または尿素結合と、ポリエーテル、ポリエステル、ポリオレフィンおよびポリアクリレート末端鎖の少なくとも１つまたは該末端鎖の混合物とを含む、ポリウレタンであり；
ｗは、１またはそれより大きい）
によって表される、ポリマー。
【請求項２】
ａ）少なくとも３つの反応性イソシアネート基を有するポリイソシアネート分子であって、前記Ｐｏｌの構成ブロックとして役立ち、ヒドロキシルまたはアミノ基含有種と反応させたときにウレタンおよび／または尿素結合を形成するイソシアネート基の源として役立つ、該ポリイソシアネート分子を調達する工程と、
ｂ）該ポリイソシアネート分子の該反応性イソシアネート基の少なくとも１つを、ポリエーテル、ポリエステル、ポリオレフィンおよびポリアクリレートの少なくとも１つと反応させて末端鎖を形成する工程と、
ｃ）該ポリイソシアネートの該反応性イソシアネート基の少なくとも１つを、下記式：
【化２３】
2016538375.tif 000002
（式中、ｂは、１または２であり、ｄは、１、２または３であり；そしてＲ１、Ｑ、Ｒ２、ａは、前に定義したとおりであり；前記イミド基を該Ｐｏｌに結合させるために、Ｗは、イソシアネート基と反応することが可能な任意の基である）
のイミド基含有分子と反応させる工程と
を含むプロセスによって得られる／得ることが可能である、請求項１に記載のポリマー。
【請求項３】
前記ポリマーが、下記式
【化２４】
2016538375.tif 000003
のイミド基を最大３０含有する、請求項２に記載のポリマー。
【請求項４】
さらなる変性剤が、前記ポリイソシアネートの反応性イソシアネート基の最大１０モル％と反応される、請求項２または３に記載のポリマー。
【請求項５】
少なくとも３つの反応性イソシアネート基を有する前記ポリイソシアネート分子が、市販のポリイソシアネート、二量体化または三量体化ポリイソシアネート；イソシアネート基と反応性の２つまたはそれより多くの基を有するポリオール、ポリアミンまたはアミノアルコールと反応するジイソシアネートおよび／またはポリイソシアネートから選択される、請求項２、３または４に記載のポリマー。
【請求項６】
前記Ｑ基が、単一ベンゼン環またはナフタレン環である、前記請求項１から２のいずれかに記載のポリマー。
【請求項７】
ポリエーテル、ポリエステル、ポリオレフィンおよびポリアクリレートの前記少なくとも１つが、イソシアネート基と反応性であってその分子の１つの末端で化学結合を形成する少なくとも１つの化学基を有するが、イソシアネート基と反応性であって化学結合を形成する第二の遠位に位置する化学基を有さず、したがって、前記ポリマーに１点のみで結合されているポリエーテル、ポリエステル、ポリオレフィンまたはポリアクリレートを生成し、該ポリエーテル、ポリエステル、ポリオレフィンまたはポリアクリレートの任意のさらなる末端が、鎖末端として機能する、請求項１から６のいずれかに記載のポリマー。
【請求項８】
前記Ｐｏｌに使用される前記溶媒可溶化ポリエーテル、ポリエステル、ポリオレフィンまたはポリアクリレートが、３００〜５０００ｇ／モルの数分子量を有する、請求項１から７のいずれかに記載のポリマー。
【請求項９】
前記Ｐｏｌに使用される前記ポリエーテル、ポリエステル、ポリオレフィンまたはポリアクリレートが、前記ポリマーの２０〜８０重量％を構成する、請求項１から８のいずれかに記載のポリマー。
【請求項１０】
前記Ｐｏｌ上の少なくとも２カ所の別々の位置でＰｏｌに結合されている、下記式
【化２５】
2016538375.tif 000004
を有するイミド基を少なくとも２つ有する、請求項１から９のいずれかに記載のポリマー。
【請求項１１】
前記
【化２６】
2016538375.tif 000005
が、下記構造
【化２７】
2016538375.tif 000006
【化２８】
2016538375.tif 000007
（式中、Ｒ１、Ｒ２、Ｑ、ｄ、ｂおよびａは、請求項１において前に定義した通りである）
の反応物から誘導される、請求項１から１０のいずれかに記載のポリマー。
【請求項１２】
Ｑがナフタレンである、請求項１から１１のいずれかに記載のポリマー。
【請求項１３】
１ポリマーにつき平均で少なくとも１つのＲ１が、−ＳＯ３Ｈ、−Ｃｌ、−Ｂｒ、または−ＮＯ２基である、請求項１から１２のいずれかに記載のポリマー。
【請求項１４】
ａ）粒子状固体と、ｂ）極性有機媒体もしくは非極性有機媒体または水性媒体を含む媒体と、ｃ）前記請求項１から１３のいずれかによって表されるポリマーとを含む、組成物。
【請求項１５】
前記組成物が、ミルベース、塗料またはインクである、請求項１４に記載の組成物。
【請求項１６】
少なくとも１つの末端イミド基を有するポリマー鎖と、粒子状固体と、（ｉ）極性有機媒体、（ｉｉ）非極性有機媒体、（ｉｉｉ）水またはそれらのブレンドとを含む組成物であって、該イミド基が芳香族基または縮合芳香族基に化学的に結合されており、該ポリマーが前記請求項１から１３のいずれかによって表される、組成物。
【手続補正２】
【補正対象書類名】明細書
【補正対象項目名】００１１
【補正方法】変更
【補正の内容】
【００１１】
本発明の目的の一つは、最終組成物の、色強度の改善もしくは他の着色特性の改善、粒子状固体充填量の増加、および／または改善された明るさを有する、改善された分散体の形成を可能にする上に、低下された粘度、良好な分散安定性、低減された粒径および低減された粒径分布（通常、平均１５０ｎｍもしくはそれ未満、例えば７０〜１３５ｎｍの範囲に低減される）、低減されたヘイズ、改善された光沢、および向上したジェットネス（ｊｅｔｎｅｓｓ）（とりわけ、組成物が黒色の場合）を有する組成物の生成も可能にする、化合物を提供することである。本発明の組成物は、周囲温度での保管および高温保管条件下でも安定であり得、それ故、最終塗膜の変色／黄変を低減させる。
一実施形態において、例えば、以下の項目が提供される。
（項目１）
少なくとも１つイミド基を有するポリマー鎖を含むポリマーであって、各イミド基が芳香族環（単一芳香族環または縮合芳香族環のいずれか）に化学的に結合され、
該ポリマーが式（１）：
【化２２】
2016538375.tif 000008
（式中、各可変項は、独立して、以下の通りである：
Ｒ１は、置換基への結合に利用可能なＱ環上の任意の位置にある置換基であり得、Ｒ１は、独立して、−Ｈ、または電子吸引基（例えば、−ＮＯ２、−ＳＯ２ＮＲ’２、−Ｃ（Ｏ）Ｒ’、−ＳＯ３Ｍ、ハロ、例えば−Ｃｌもしくは−Ｂｒ、−ＮＨ２、または−ＯＲ’）、または電子供与基（例えば、炭素原子数１〜３のアルキル基、例えば−ＣＨ３）の１つまたはそれより多くのもの（通常、Ｒ１が−Ｈ以外であり得る場合、ａによって定義されるＱ上のＨでない置換されている基の数は、０〜２、０〜１、０または１であり得る）によって表され得、より好ましくは、Ｒ１は、−Ｈおよび場合により−Ｃｌ、−Ｂｒ、−ＳＯ３Ｍまたは−ＮＯ２であり得；ここで、Ｍは、Ｈ、金属カチオン、ＮＲ’４＋、またはそれらの混合物であり得；Ｒ’は、−Ｈ、通常１〜２０個または１〜１０個の炭素原子を含有する、場合により置換されているアルキルであり得、Ｒ’の置換基は、ヒドロキシルもしくはハロ（通常、ＣｌもしくはＢｒ）またはそれらの混合物であり得；
Ｑは、４ｎ＋２のπ電子を含有する縮合または非縮合芳香族環であり得、ここで、ｎ＝１またはそれより大きく（より望ましくは１〜３、または１〜２、または１、または２）、Ｑは、５または６員（通常、５員）イミド環を形成するように該イミド基に結合され得；
ｂは、１または２であり、ｂが２である場合、該イミド基は、２つの化学結合によってＰｏｌに結合されている側鎖であり；
ｄは、１、２または３、より好ましくは１または２、および最も好ましくは１であり；これは、１〜３個のイミド基がＲ２の異なる炭素原子でＲ２に結合されている可能性があることを意味し；
Ｒ２は、Ｃ１〜Ｃ２０ヒドロカルビレン基、もしくはＣ１〜Ｃ１２ヒドロカルビレン基、もしくはＣ１〜Ｃ６ヒドロカルビレン基、またはＣ１〜Ｃ２０ヒドロカルボニレン基、もしくはＣ１〜Ｃ１２ヒドロカルボニレン基、もしくはＣ１〜Ｃ６ヒドロカルボニレン基（Ｒ２が２個より多くの炭素原子を含有する場合、該ヒドロカルビレン基または該ヒドロカルボニレン基は、直鎖状であってもよいし、または分枝していてもよい）、またはそれらの混合物であり得；Ｒ２は、酸素および／または窒素原子を含み得、この場合、Ｒ２の酸素または窒素１個ごとに少なくとも２個の炭素原子があり、これらは、Ｒ２にエーテル型結合、エステル型結合およびアミド型結合を含み；
Ｗ’は、窒素原子、酸素原子または直接結合であり；ｂが２である場合には、該Ｗ’の一方は、該イソシアネートと反応される第二級アミンから誘導され得、および該イミドと他方のＷ’基の間のＲ２結合基内にあり得、ｂが２である場合、各Ｗ’基は、同じであり得るか、または、異なり得；
Ｐｏｌは、少なくとも２つのウレタンおよび／または尿素結合と、ポリエーテル、ポリエステル、ポリオレフィンおよびポリアクリレート末端鎖の少なくとも１つまたは該末端鎖の混合物とを含む、ポリウレタンであり；
ｗは、１またはそれより大きく、より望ましくは１、２、３または４〜３０、より望ましくは１、２、３または４〜２５、および好ましくは１、２、３または４〜１０または２０である）
によって表される、ポリマー。
（項目２）
ａ）少なくとも３つの反応性イソシアネート基を有するポリイソシアネート分子であって、前記Ｐｏｌの構成ブロックとして役立ち、ヒドロキシルまたはアミノ基含有種と反応させたときにウレタンおよび／または尿素結合を形成するイソシアネート基の源として役立つ、該ポリイソシアネート分子を調達する工程と、
ｂ）該ポリイソシアネート分子の該反応性イソシアネート基の少なくとも１つを、少なくとも１つのポリエーテル、ポリエステル、ポリオレフィンおよびポリアクリレートと反応させて末端鎖を形成する工程と、
ｃ）該ポリイソシアネートの該反応性イソシアネート基の少なくとも１つを、下記式：
【化２３】
2016538375.tif 000009
（式中、ｂは、１または２であり、ｄは、１、２または３であり；そしてＲ１、Ｑ、Ｒ２、ａは、前に定義したとおりであり；前記イミド基を該Ｐｏｌに結合させるために、Ｗは、イソシアネート基と反応することが可能な任意の基、例えばアミノ、ヒドロキシル、カルボン酸であり得る）
のイミド基含有分子と反応させる工程と、
ｃ）場合により、該ポリイソシアネート分子の該反応性イソシアネート基を、少なくとも１つの二官能性またはそれより高い官能性の架橋剤と反応させて、複数のイソシアネート基を単一のＰｏｌにカップリングさせる工程と、
ｄ）場合により、該ポリイソシアネート分子の該反応性イソシアネート基を、該Ｐｏｌ用の少なくとも１つの変性剤と反応させる工程と
を含むプロセスによって得られる／得ることが可能である、項目１に記載のポリマー。
（項目３）
前記ポリマーが、下記式
【化２４】
2016538375.tif 000010
のイミド基を最大３０含有する、項目２に記載のポリマー。
（項目４）
任意選択のさらなる変性剤が、前記ポリイソシアネートの反応性イソシアネート基の最大１０モル％、より好ましくは最大５モル％と反応される、項目２または３に記載のポリマー。
（項目５）
少なくとも３つの反応性イソシアネート基を有する前記ポリイソシアネート分子が、市販のポリイソシアネート、二量体化または三量体化ポリイソシアネート；イソシアネート基と反応性の２つまたはそれより多くの基（例えば、ジオール、トリオール、テトラオール、アミノアルコール、ジアミン、トリアミンなど）を有するポリオール、ポリアミンまたはアミノアルコールと反応するジイソシアネートおよび／またはポリイソシアネートから選択される、項目２、３または４に記載のポリマー。
（項目６）
前記Ｑ基が、単一ベンゼン環またはナフタレン環である、前記項目１から２のいずれかに記載のポリマー。
（項目７）
ポリエーテル、ポリエステル、ポリオレフィンおよびポリアクリレートの前記少なくとも１つが、イソシアネート基と反応性であってその分子の１つの末端で化学結合を形成する少なくとも１つの化学基を有するが、イソシアネート基と反応性であって化学結合を形成する第二の遠位に位置する化学基（すなわち、該ポリエーテル、ポリエステル、ポリオレフィンおよびポリアクリレート中の該第一の反応性基から主鎖の連続する１７原子を超えて位置するその分子内の化学基）を有さず、したがって、前記ポリマーに１点のみで結合されているポリエーテル、ポリエステル、ポリオレフィンまたはポリアクリレートを生成し、該ポリエーテル、ポリエステル、ポリオレフィンまたはポリアクリレートの任意のさらなる末端が、鎖末端として機能する、前記項目のいずれかに記載のポリマー。
（項目８）
前記Ｐｏｌに使用される前記溶媒可溶化ポリエーテル、ポリエステル、ポリオレフィンまたはポリアクリレートが、約３００〜約５０００ｇ／モルの数分子量を有する、前記項目のいずれかに記載のポリマー。
（項目９）
前記Ｐｏｌに使用される前記ポリエーテル、ポリエステル、ポリオレフィンまたはポリアクリレートが、前記ポリマーの約２０〜約８０重量％を構成する、前記項目のいずれかに記載のポリマー。
（項目１０）
前記Ｐｏｌ上の少なくとも２カ所の別々の位置でＰｏｌに結合されている、下記式
【化２５】
2016538375.tif 000011
を有するイミド基を少なくとも２つ有する、前記項目のいずれかに記載のポリマー。
（項目１１）
前記
【化２６】
2016538375.tif 000012
が、下記構造
【化２７】
2016538375.tif 000013
【化２８】
2016538375.tif 000014
（式中、Ｒ１、Ｒ２、Ｑ、ｄ、ｂおよびａは、項目１において前に定義した通りである）
の反応物から誘導される、前記項目のいずれかに記載のポリマー。
（項目１２）
Ｑがナフタレンである、前記項目のいずれかに記載のポリマー。
（項目１３）
１ポリマーにつき平均で少なくとも１つのＲ１が、−ＳＯ３Ｈ、−Ｃｌ、−Ｂｒ、−ＮＯ２基である、前記項目のいずれかに記載のポリマー。
（項目１４）
ａ）粒子状固体と、ｂ）極性有機媒体もしくは非極性有機媒体または水性媒体を含む媒体と、ｃ）前記項目１から１３のいずれかによって表されるポリマーとを含む、組成物。
（項目１５）
前記組成物が、ミルベース、塗料またはインクである、前記項目１から１３のいずれかに記載の組成物。
（項目１６）
少なくとも１つの末端イミド基を有するポリマー鎖と、粒子状固体（通常、顔料またはフィラー）と、（ｉ）極性有機媒体、（ｉｉ）非極性有機媒体、（ｉｉｉ）水またはそれらのブレンドとを含む組成物であって、該イミド基が芳香族基または縮合芳香族基に化学的に結合されており、該ポリマーが前記項目１から１３のいずれかによって表される、組成物。